(57)【要約】【課題】ビデ洗浄における洗浄水の着水範囲の広狭に適した着水力でビデ洗浄を実行することができる衛生洗浄装置を提供することを目的とする。【解決手段】少なくとも第１の吐水孔と第２の吐水孔とを有し、前記吐水孔から洗浄水を噴出して女性局部に着水させるノズルを備え、前記ノズルは、前記女性局部の第１の範囲に着水するように前記第１の吐水孔から前記洗浄水を噴出する第１の吐水と、前記第２の吐水孔から前記第１の範囲よりも狭い第２の範囲に着水するように前記第１の吐水を使用者の後ろ側に傾けて飛び散りを抑制出来ることを特徴とする衛生洗浄装置が提供される。【選択図】図６
2012207367.tif 000002
【特許請求の範囲】
【請求項１】
便座に着座した使用者の身体局部に対して洗浄水を噴出する吐水孔を有するノズルを備え、前記ノズルは前記吐水孔から第１の範囲に洗浄水を吐水する第１の吐水と、前記第１の範囲よりも狭い第２の範囲に洗浄水を吐水する第２の吐水が切替可能であり、前記吐水孔から噴出する第１の吐水の使用者に対する吐水角度は第２の吐水の吐水角度よりも使用者後方に向って角度が傾いていることを特徴とする衛生洗浄装置。
【請求項２】
前記第１の吐水が吐水される際の吐水孔の使用者に対する角度が、前記第２の吐水が吐水される際の吐水孔の角度よりも使用者の後方に向かっていることを特徴とする請求項１に記載の衛生洗浄装置。
【請求項３】
吐水孔のノズルに対する角度を吐水孔からノズルの根元に向かう角度を０度とおいた場合、第１の吐水の吐水孔の角度は９０度以下の角度であることを特徴とする請求項１または請求項２に記載の衛生洗浄装置。
【請求項４】
吐水孔のノズルに対する角度を吐水孔からノズルの根元に向かう角度を０度とおいた場合、第２の吐水の吐水孔の角度は９０度より大きい角度であることを特徴とする請求項１〜３のいずれか１項に記載の衛生洗浄装置。
【請求項５】
前記ノズルに第１の吐水を噴出する第１の吐水孔と第２の吐水を噴出する第２の吐水孔が備わっていることを特徴とする請求項１〜４のいずれか１項に記載の衛生洗浄装置。
【請求項６】
前記第１の吐水孔の位置は、前記第２の吐水孔の位置よりもノズル先端側に位置することを特徴とする請求項１〜５のいずれか１項に記載の衛生洗浄装置。
【請求項７】
第一の吐水孔から前記第１の吐水が、第二の吐水孔から前記第２の吐水が吐水され、洗浄水の前記吐水孔に向って流入する方向が第１の吐水はノズル先端側から根元側に向かい、第２の吐水はノズル根元側から先端側に向かって流入することを特徴とする請求項１〜６のいずれか１項に記載の衛生洗浄装置。  
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
従来、局部洗浄装置から噴出のパターンの変更が容易であり、ノズルの大型化を防止し、連続した一様な噴出パターンが得られ、使用者の満足する洗浄が得られるものも知られている。同様の技術として円形チャンバーで旋回流を干渉させて広がり角を連続的に制御する吐水装置も知られている（特許文献１）。
【０００３】
特許文献２に開示されたような局部洗浄用のノズルは、一般的に、便器のボウル内へ進出し、便座に着座した使用者の斜め後方から洗浄水を吐水する。そのため、旋回付与室に供給された洗浄水は、旋回力が十分には付与されず、吐水孔から吐水された洗浄水が、目的の局部に着水せず、股の間から抜けて周囲に飛び散ったり、使用者の太ももに吐水されるおそれがある。このような点において、使用者に不快感を与えないようにするには改善の余地がある。    
【先行技術文献】
【特許文献】
【０００４】
【特許文献１】特開２００１−９０１５４号公報
【発明の概要】
【発明が解決しようとする課題】
【０００５】
本発明は、かかる課題の認識に基づいてなされたものであり、人体局部において広い範囲を洗浄する場合、洗浄水の飛び散りを抑制して快適な身体洗浄を行うことができる衛生洗浄装置を提供することを目的とする。
【課題を解決するための手段】
【０００６】
第１の発明は、便座に着座した使用者の身体局部に対して洗浄水を噴出する吐水孔を有するノズルを備え、前記ノズルは前記吐水孔から第１の範囲に洗浄水を吐水する第１の吐水と、前記第１の範囲よりも狭い第２の範囲に洗浄水を吐水する第２の吐水が切替可能であり、前記吐水孔から噴出する第１の吐水の使用者に対する吐水角度は第２の吐水の吐水角度よりも使用者後方に向って角度が傾いていることを特徴とする衛生洗浄装置である。
【０００７】
この衛生洗浄装置によれば、前記吐水孔から噴出する第１の吐水の使用者に対する吐水角度は第２の吐水の吐水角度よりも使用者後方に向って角度が傾いているため、第１の吐水の場合、使用者の前側に飛水してくる洗浄水と使用者の後側に飛水してくる洗浄水の着水距離をより近付けることができ、使用感の良好な洗浄水を提供することが出来る。また、使用者の後方に向かって吐水が噴射されるため、使用者の前側への洗浄水の飛び散りを減少させることにより、使用者の太ももや便座への洗浄水の飛び散りを抑制することが出来る。  
第一の吐水は広い範囲に広がるので、第二の吐水と比べ、吐水の傾斜が前側に傾き、前方へ飛び出しやすくなるっているが、角度を変えることによって、前側の角度を立たせることができ、吐水の抜けによる飛散りを抑制でき、さらに使用者に当たった後の跳ね返りによる水も抑制することが出来る。第二の吐水に比べて第一の吐水の方が使用者への着水距離が近いため、狙った範囲から外れて飛び散るものを軽減することが出来るため、使用者にとって安定した洗浄水を供給することが出来る。
【０００８】
第２の発明は、前記第１の吐水が吐水される際の吐水孔の使用者に対する角度が、前記第２の吐水が吐水される際の吐水孔の角度よりも使用者の後方に向かっていることを特徴とする衛生洗浄装置。
【０００９】
この衛生洗浄装置によれば、ノズルに角度の制御を加えることなく洗浄を行うことが出来る。また、ノズルの角度を切り替える時間が必要ないため、前記第一の吐水、第二の吐水の切り替えを速やかに行うことが出来る。
【００１０】
また、第３の発明は、吐水孔のノズルに対する角度を吐水孔からノズルの根元に向かう角度を０度とおいた場合、第１の吐水の吐水孔の角度は９０度以下の角度であることを特徴とする衛生洗浄装置である。
【００１１】
この衛生洗浄装置によれば、吐水の吐水孔の角度は９０度以下の角度であるため洗浄水の使用者への着水距離を近づけることが出来る。つまり、使用者の前側にくる洗浄水と使用者の後側にくる洗浄水が使用者により近づき、安定した洗浄水が使用者に届く。それによって、使用者の前側への洗浄水の飛び散りを減少させることが可能となり、使用者の太ももや便座への洗浄水の飛び散りを抑制でき、使用感の良好な衛生洗浄装置を提供できる。また、使用者の前側と後側にくる洗浄水の着水距離をより近づけることが可能であるため、使用者にとって洗浄水の当たり感が均一となり、使用者の前側への洗浄水の飛び散りを抑制させると共に、使用感の快適な衛生洗浄装置を提供できる。
【００１２】
第４の発明は、吐水孔のノズルに対する角度を吐水孔からノズルの根元に向かう角度を０度とおいた場合、第２の吐水の吐水孔の角度は９０度より大きい角度であることを特徴とする衛生洗浄装置である。
【００１３】
この衛生洗浄装置によれば、吐水の吐水孔の角度は９０度より大きい角度であるため第２の吐水をノズル最大伸出量よりも使用者のずっと前側まで洗浄水を届かせることが可能となり、角度の付け方によって狙いの位置をコントロールしやすい。それによって、使用者のより前側まで洗浄水を当てることが可能となるため、使用感の快適な衛生洗浄装置を提供できる。
【００１４】
また、第５の発明は、前記ノズルに第１の吐水を噴出する第１の吐水孔と第２の吐水を噴出する第２の吐水孔が備わっていることを特徴とする衛生洗浄装置である。
【００１５】
この衛生洗浄装置によれば、第１の吐水と第２の吐水のように洗浄範囲の異なる洗浄を同一のノズルによって達成することが出来る。また、第１の吐水を噴出する第１の吐水孔と第２の吐水を噴出する第２の吐水孔が備わっているため異なる洗浄形態を達成することができ、洗浄形態の違いによって吐水孔の傾きを変えることが可能となるため、使用者にとって快適な洗浄水を提供することが出来る。
また、この衛生洗浄装置によれば、第一の吐水を後方に向けた場合に使用者にとって洗浄位置が不足する恐れがあるが、第一の吐水孔が第二の吐水孔よりも前側に位置しているので、より前方を洗浄することが出来る。
【００１６】
また、第６の発明は、前記第１の吐水孔の位置は、前記第２の吐水孔の位置よりもノズル先端側に位置することを特徴とする衛生洗浄装置である。
【００１７】
この衛生洗浄装置によれば、使用者の局部に対して第２の吐水よりも洗浄範囲の広い第１の吐水の着水距離が短く、第１の洗浄よりも第２の洗浄を使用者の前方まで吐水を着水させることが出来るので、飛び散りを抑制しつつ、第２の洗浄をより前方まで届けることが出来る。また、特に女性など便座の前側に座る傾向がある方に対しても洗浄ポイントがずれることを抑制できる。
【００１８】
また、第７の発明は、第一の吐水孔から前記第１の吐水が、第二の吐水孔から前記第２の吐水が吐水され、洗浄水の前記吐水孔に向って流入する方向が第１の吐水はノズル先端側から根元側に向かい、第２の吐水はノズル根元側から先端側に向かって流入することを特徴とする衛生洗浄装置である。
【００１９】
この衛生洗浄装置によれば、洗浄水の前記吐水孔に向って流入する方向が第１の吐水はノズル先端側から根元側に向かって流入し、使用者の前側に向かって慣性が働くため、使用者前側に安定した洗浄水が噴射され、第２の吐水はノズル根元側から先端側に向かって流入することによって使用者後側に向かって慣性が働くので、角度を変えて飛び散りを抑えることが出来る。
【発明の効果】
【００２０】
本発明の態様によれば、人体局部において広い範囲を洗浄する場合、洗浄水の飛び散りを抑制して快適な身体洗浄を行うことができる衛生洗浄装置を提供することができる。
【図面の簡単な説明】
【００２１】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態にかかる衛生洗浄装置の第一の吐水（ワイド吐水）、第二の吐水（スポット範囲の吐水）を説明するための断面模式図である。
【図４】本実施形態のノズルを上方から眺めた上面模式図である。
【図５】図４に表した切断面Ａ−Ａにおける断面模式図である。
【図６】ノズル角度を変化させることで第一の吐水を第二の吐水よりも使用者の後方に向かって吐水させることがワイド吐水の飛び散りに対して効果的であることを表した図である。
【図７】ワイド吐水やスポット吐水が着水面に着水するまでの洗浄を表した図である。
【図８】本実施形態の更に他のノズルの具体例を表す斜視模式図である。
【図９】本実施形態の更に他のノズルの具体例を表す断面模式図である。
【図１０】本実施形態の更に他のノズルの具体例において旋回室への入水方向を例示する平面模式図である。
【００２２】
以下、本発明の実施の形態について図面を参照しつつ説明する。なお、各図面中、同様の構成要素には同一の符号を付して詳細な説明は適宜省略する。
図１は、本発明の実施の形態にかかる衛生洗浄装置を備えたトイレ装置を例示する斜視模式図である。
【００２３】
図１に表したトイレ装置は、洋式腰掛便器（以下説明の便宜上、単に「便器」と称する）８００と、その上に設けられた本発明の衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。
【００２４】
ここで、図１に表した具体例においては、衛生洗浄装置１００の便座２００の着座面側を上方向（上方）、これと反対側を下方向（下方）、衛生洗浄装置１００の便座２００が軸支される側を後方向（後方）、これと反対側を前方向（前方）、上下方向及び前後方向と直交する方向のうち後方に向いて右側を右方向（右側方）、左側を左方向（左側方）、ということにする。換言すると、便座２００に座った使用者の背面（背中側）から前面（お腹側）に向かう方向を前方向（前方）とし、前面から背面に向かう方向を後方向（後方）とする。
【００２５】
ケーシング４００の内部には、便座２００に座った使用者の女性局部の洗浄（ビデ洗浄）を実現する局部洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えば図示しないリモートコントローラなどの操作部を操作すると、ノズル４１０を便器８００のボウル８０１内に進出させることができる。なお、図１に表した衛生洗浄装置１００では、ノズル４１０がボウル８０１内に進出した状態を表している。  
なお、図１ではノズル４１０がボウル８０１の後ろ側から前方に向けてボウル８０１内に進出する具体例を表したが、本発明はこれには限定されない。例えば、これとは異なり、ノズル４１０が、ボウル８０１の前側から後方に向けてボウル８０１内に進出するものも、本発明の範囲に包含される。
【００２６】
ノズル４１０の先端部には、ひとつあるいは複数の吐水孔４１１が設けられている。ノズル４１０は、その先端部に設けられた吐水孔４１１から水を噴射して、便座２００に座った使用者の女性局部を洗浄することができる。例えば、図１に表したノズル４１０では、ふたつの吐水孔４１１のうちの例えば前側の吐水孔４１１ａは、ビデ洗浄用の吐水孔であり、後側の吐水孔４１１ｂは、おしり洗浄用の吐水孔である。なお、本願明細書において「水」という場合には、冷水のみならず、加熱されたお湯も含むものとする。
【００２７】
図２は、本実施形態にかかる衛生洗浄装置の要部構成を表すブロック図である。  
本実施形態にかかる衛生洗浄装置１００は、水道や貯水タンクなどの図示しない給水源から供給された水を導く流路１０を有する。流路１０の下流側には、電磁弁４４０が設けられている。電磁弁４４０は、開閉可能な電磁バルブであり、ケーシング４００の内部に設けられた図示しない制御部からの指令に基づいて、熱交換器４５０への水の供給を制御する。
【００２８】
電磁弁４４０の下流側には、熱交換器４５０が設けられている。熱交換器４５０は、供給された水を加熱し所定の温水にする。なお、熱交換器４５０は、例えば、シーズヒータなどを用いた瞬間加熱式熱交換器でもよいし、貯湯タンクを用いた貯湯加熱式熱交換器でもよい。
【００２９】
熱交換器４５０の下流側には、圧力変調装置４７０が設けられている。この圧力変調装置４７０は、流路１０内の水の流れに脈動を与え、ノズル４１０の吐水孔４１１から噴出される水に脈動を与えることができる。  
圧力変調装置４７０の下流側には、ノズル４１０が設けられている。ノズル４１０は、水勢（流量）の調整を行う流量調整弁（水路選択手段）４８０と、ワイド吐水の際に通水されるワイド吐水用流路（第１の水供給水路）４２７と、スポット吐水の際に通水されるスポット吐水用流路（第２の水供給水路）４２８と、ノズル本体４２０と、を有する。流量調整弁４８０は、水勢の調整を行うことができるとともに、ノズル４１０への給水の開閉や切替を行うことができる。より具体的に説明すると、本実施形態にかかる衛生洗浄装置１００は、女性局部の第１の範囲に着水するようにノズル４１０の第１の吐水孔４１１aから広範囲に万遍なく着水するように洗浄水を噴出する、ワイド吐水（第１の吐水）と、ノズル４１０の第２の吐水孔４１１ｂから第１の範囲よりも狭い第２の範囲に着水するように洗浄水を噴出するスポット吐水（第２の吐水）と、を実行することができる。
【００３０】
流量調整弁４８０は、リモコンのスイッチ操作によって、図示しない制御部からの指令に基づいて、ワイド吐水用流路４２７へ通水したり、ワイド吐水用流路４２７へ通水することができる。あるいは、流量調整弁４８０は、所定の比率でワイド吐水用流路４２７およびスポット吐水用流路４２８へ通水することができる。これにより、使用者は、ワイド吐水用流路４２７とスポット吐水用流路４２８とを切り替えることにより、あるいは、ワイド吐水用流路４２７を通過する洗浄水の流量と、スポット吐水用流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。これについては、後に詳述する。
【００３１】
ノズル４１０は、例えばモータなどからの駆動力を受け、便器８００のボウル８０１内に進出したり後退することができる。そして、ノズル４１０は、ボウル８０１内に進出した状態で吐水孔４１１から水を噴出して、便座２００に座った使用者の女性局部を洗浄することができる。
【００３２】
図３は、各種吐水による洗浄水の着水範囲を説明するための概念模式図である。
本実施形態のノズル４１０は、女性局部に洗浄水５００を着水するワイド吐水（図３（ａ））及びスポット吐水（図３（ｂ））を切り替え可能に設けられている。吐水を行う際、ノズル４１０は水平面に対して斜め下の前方に進出する。
【００３３】
図３（ａ）に表したように、ワイド吐水とは、ノズル４１０が第１の基準位置Ｐ１に静止している状態で、第１の範囲Ａ１で洗浄水５００をノズル４１０の吐水孔４１１から吐水することを言う。
ワイド吐水では、使用者６００の女性局部を含む第１の着水範囲Ｓ１に洗浄水５００が着水する。
図３（ｂ）に表したように、スポット吐水とは、ノズル４１０が第２の基準位置Ｐ２に静止している状態で、第１の範囲Ａ１よりも狭い第２の範囲Ａ２で洗浄水５００をノズル４１０の吐水孔４１１から吐水することを言う。
スポット吐水では、使用者６００の女性局部を含む第２の着水範囲Ｓ２に洗浄水５００が着水する。
【００３４】
ワイド吐水では、スポット吐水に比べて女性局部の広い範囲にわたり万遍なく洗浄水を着水させることができる。すなわち、ビデ洗浄においてワイド吐水を行うと、女性局部を中心とした広い範囲に洗浄水が着水して洗浄を行うことができる。そのため、所望の広い範囲を一度にさっと洗浄することができる。一方、スポット吐水を行うと、ワイド吐水の場合よりも狭い範囲を洗浄することができ、洗浄したい箇所を好みに応じて重点的に洗浄することができる。
【００３５】
次に、本実施形態のノズル４１０の具体例について、図面を参照しつつ説明する。  
図４は、本実施例のノズルを上方から眺めた上面模式図である。  
また、図５は、図４に表した切断面Ａ−Ａにおける断面模式図である。
【００３６】
本実施例にかかるノズル４１０は、ノズル本体４２０を有する。ノズル本体４２０の内部には、ワイド吐水用流路４２７と、スポット吐水用流路４２８と、が設けられている。ワイド吐水用流路４２７は、第１の旋回室４２３ａの大径部内周壁４２３ｅの接線方向に接続されている。一方、スポット吐水用流路４２８は、第２の旋回室４２３ｂの軸心へ向かうように大径部内周壁４２３ｅに接続されている。
【００３７】
ワイド吐水用流路４２７は、第１の旋回室４２３ａの大径部内周壁４２３ｅの接線方向に接続されているため、ワイド吐水用流路４２７を通過して第１の旋回室４２３ａへ流入した洗浄水は、大径部内周壁４２３ｅおよび傾斜内周壁４２３ｆに沿って旋回する。これは、図３に関して前述した如くである。一方、スポット吐水用流路４２８は、第２の旋回室４２３ｂの軸心へ向かうように大径部内周壁４２３ｅに接続されているため、スポット吐水用流路４２８を通過して第２の旋回室４２３ｂへ流入した洗浄水は、旋回することなく、あるいは旋回力を低減された状態で第２の連通路４２５ｂの一端、すなわち第１の吐水孔４２６ｂから噴出される。
【００３８】
そのため、本具体例のノズル４１０によれば、ワイド吐水用流路４２７を介して第１の旋回室４２３へ洗浄水を流入させると、より大きな旋回力を有する中空円錐状吐水５１０を第２の吐水孔４２６ａから吐水することができる。また、本具体例にかかるノズル４１０が、図３に表した第１のスロート４３０ａを有する場合には、第２の吐水孔４２６ａから噴出された中空円錐状吐水５１０は、粒化水流５２０へ遷移する。そのため、この場合には、使用者は、より広い範囲を一度にさっと洗浄することができる。
【００３９】
また、スポット吐水用流路４２８を介して第２の旋回室４２３ｂへ洗浄水を流入させると、直進流５３０と液滴５４０とを第１の吐水孔４２６ｂから吐水することができる。そのため、この場合には、使用者は、洗浄したい洗浄箇所を好みに応じて重点的に洗浄することができる。
【００４０】
ワイド吐水用流路４２７は、大きな旋回力を有するように第１の旋回室４２３ａへ流入させており、大きな旋回力を付与されることにより、吐水孔付近で縮流が起こり、圧力損失が生じるが、ワイド吐水用流路４２７への入水圧力をスポット吐水用流路４２８よりも大きな入水圧力により洗浄水を流入させることにより、ワイド吐水の流速をスポット吐水の流速よりも高めることができる。一方、スポット吐水の旋回力は大きくならないように第２の旋回室４２３ｂに流入させており、圧力損失は小さく、高い圧力を必要としないため、入水圧力を小さくすることで、流速を抑えている。
入水圧を変える手段として、スポット吐水用流路４２８に通ずる流量調整弁もしくは途中の流路において、ワイド吐水用流路４２７に通ずる流路よりも圧力損失が大きくなるように絞り部を設けて、入水圧力を変えている。なお、ポンプ等を搭載し、ポンプの出力を調整することにより、入水圧力を変更してもよい。
【００４１】
また、吐水孔から洗浄水が噴出する際の吐水方向にみたときの第２の吐水孔４２６ａの断面積は、第１の吐水孔４２６ｂより大きく形成されている。そのため、ワイド吐水とスポット吐水とが切り替わることにより、流速差が自動的に生ずる。これにより、大がかりな装置や機器などを設けることなく、第１の吐水と第２の吐水との間で流速を異ならせることができる。
【００４２】
したがって、本具体例によれば、使用者は、洗浄水の流路を、ワイド吐水用流路４２７と、スポット吐水用流路４２８とで変更することにより、より広い範囲を一度にさっと洗浄するワイド吐水と、より狭い範囲を重点的に洗浄するスポット吐水と、を好みに応じて切り替えることができる。
【００４３】
図６はノズル角度を変化させることで第一の吐水を第二の吐水よりも使用者の後方に向かって吐水させることがワイド吐水の飛び散りに対して効果的であることを表した図である。
【００４４】
ノズル４１０aの吐水孔４１１aから噴出される洗浄において、ワイド吐水は旋回室４２３で旋回した洗浄成分が円錐状に広がる吐水である。
ワイド吐水では、スポット吐水に比べて女性局部の広い範囲にわたり万遍なくミスト状の洗浄水が着水する。すなわち、ビデ洗浄においてワイド吐水を行うと、女性局部を中心とした広い範囲に着水して洗浄を行うことができる。そのため、所望の広い範囲を一度にさっと洗浄することができる。洗浄水２００は使用者にとって後方側、洗浄水２０１は使用者にとって前側に飛水する洗浄水を表している。
【００４５】
ワイド吐水の洗浄水が円錐状に広がり、また、ノズル４１０aは斜めに傾いていることから、使用者の前側に飛水する洗浄水２０１は使用者の後側に飛水する２００に比べて、使用者への着水までに距離が長くなっている。そのため、使用者前側から吐水された洗浄水２０１の方が着水するまでに時間がかかる。その際に狙いの洗浄水の軌道から外れてしまった洗浄水が飛び散りとなり、目的の着水位置とは異なるところに飛水する。
このような飛び散りを抑制するために、洗浄水２０１と洗浄水２００の使用者までの着水距離が等しくなるようにワイドの吐水角度を使用者後方に傾けている。
これにより、使用者の後方に向かって吐水が噴射されるため、使用者の前側への洗浄水の飛び散りを減少させることができ、使用者の太ももや便座への洗浄水の飛び散りを抑制することが出来る。  
【００４６】
また、スポット吐水時のノズル４１０ｂは、ノズル角度がノズル４１０aよりも大きくなっている。ノズル４１０ｂの吐水孔４１１ｂから噴出される洗浄において、スポット吐水は旋回室４２３を通って旋回成分をワイド吐水ほど含まずに、スポット的に集中した吐水をする。このスポット吐水では、ワイド吐水と異なり女性局部に集中的に着水する。洗浄水２０２は使用者にとって後方側、洗浄水２０３は使用者にとって前側に飛水する洗浄水を表している。
【００４７】
スポット吐水の洗浄水は円錐状に広がらないため洗浄水２０２よりも洗浄水２０３を着水距離を長くする事が出来る。そのため、使用者の前側に飛水する洗浄水２０３は使用者の後側に飛水する２０２に比べて、使用者への着水までに距離が長くなっても、飛び散りにはならない。そのため、洗浄水２０３をより使用者の前側に届かせるために、洗浄水２０３を洗浄水２０２よりも使用者までの着水距離を長くすることによって、使用感の良好な洗浄水を提供することが出来る。これはノズル自身の角度をワイド吐水はノズル４１０aの方が、スポット吐水のノズル４１０bよりもねかせることによって実現出来る。
【００４８】
図７はワイド吐水やスポット吐水が着水面に着水するまでの洗浄を表した図である。図７の(a)はワイド吐水を表しており、(b)はスポット吐水を表している。吐水孔のノズルに対する角度６００は、吐水孔からノズルの根元に向かう角度を０度とおく。
【００４９】
図７（a）のノズル４１０から噴出されるワイド吐水は、スポット吐水に比べて女性局部の広い範囲にわたり万遍なくミスト状の洗浄水が着水する。すなわち、ビデ洗浄においてワイド吐水を行うと、女性局部を中心とした広い範囲に着水して洗浄を行うことができる。そのため、所望の広い範囲を一度にさっと洗浄することができる。ワイド吐水における洗浄水２０１は洗浄水２００に比べて着水面までに距離が長くなっている。そのため、洗浄水２０１の方が飛び散りやすくなっているため、ワイドビデの吐水穴を９０度以下にする事によって、洗浄水２００及び洗浄水２０１の着水距離をより近付けることによって飛び散りを抑制することが可能となる。
【００５０】
図７（ｂ）のノズル４１０から噴出されるスポット吐水は女性の局部をスポット的に洗浄するもので、ワイド吐水に比べて、洗浄したい箇所を好みに応じて重点的に洗浄することができる。スポット吐水の場合は集中的な洗浄であることから、ワイド吐水に比べて洗浄水２０２と洗浄水２０３の吐水の着水距離に大差はない。よって、吐水角度６００を９０度より大きくしても飛び散りなどは発生せず、吐水角度を９０度よりも大きくした場合でも安定した洗浄水を使用者に提供することが出来る。また、スポット吐水の吐水孔の角度は９０度より大きい角度であるためノズル最大伸出量よりも使用者のずっと前側まで洗浄水を届かせることが可能となり、角度の付け方によって狙いの位置をコントロールしやすい。それによって、使用者のより前側まで洗浄水を当てることが可能となるため、使用感の快適な衛生洗浄装置を提供できる。(a)、(b)における吐水はノズル４１０の角度が同じ場合でも吐水穴の角度をそれぞれ前記のように変えることによって達成できる。
【００５１】
図７（ｃ）のノズル４１０は前記ノズルにワイド吐水を噴出するワイド吐水孔とスポットの吐水を噴出するスポットの吐水孔が同時に備わっていることを示しており、ワイド吐水孔がスポット孔よりもノズルの前方に備わっている。また、本実施例では、ワイド吐水の着水面での吐水範囲内に、スポット吐水の着水面で吐水範囲が入るように、ノズル４１０は、構成されている。
ワイド吐水は旋回室４２３において旋回流となり円錐状に吐水されるため、吐水孔４１１aはノズルに対して垂直であることが望ましい。一方、スポット吐水は集中した吐水であるため洗浄ポイントをコントロールしやすい。スポット吐水においては吐水孔４１１ｂを傾けても問題はない。この二つを同じノズル４１０の小スペースで確立するためには、ワイド吐水孔４１１aをスポット吐水孔４１１ｂよりも前側に備えることが望ましい。
【００５２】
次に、本実施形態の更に他のノズルの具体例について図面を参照しつつさらに説明する。図８は、本実施形態のノズルを表す斜視模式図である。また、図９は、本実施形態のノズルを表す断面模式図である。また、図１０は、本実施形態の旋回室への入水方向を例示する平面模式図である。なお、図９は、図８に表した切断面B−Bにおける断面模式図である。
【００５３】
第１の流路４２７は、図９に表したように、旋回室４２３に偏心して接続されている。具体的には、第１の流路４２７の中心線と、旋回室４２３の中心軸４２３ａと、の最短距離Ｄ１が存在する。一方、第２の流路４２８は、第１の流路４２７と同様に、旋回室４２３に偏心して接続されている。具体的には、第２の流路４２８の中心線と、旋回室４２３の中心軸４２３ａと、の最短距離Ｄ２が存在する。第１の流路４２７の中心線と旋回室４２３との接続部である第１の接続部４２７ｂと、第２の流路４２８の中心線と旋回室４２３との接続部である第２の接続部４２８ｂと、は旋回室４２３の中心軸４２３ａからみて略対称位置に設けられている。また、第２の流路４２８の中心線と旋回室４２３の中心軸４２３ａとの最短距離Ｄ２は、第１の流路４２７の中心線と旋回室４２３の中心軸４２３ａとの最短距離Ｄ１よりも長い。
【００５４】
第２の流路４２８は、ノズル４１０の進出方向と略並行して形成された直進部４２８ｃと、ノズル４１０の進出方向に対して屈曲して形成された屈曲部４２８ｄと、を有する。すなわち、屈曲部４２８ｄは、直進部４２８ｃからみて折れ曲がっており、平面と平面とが直角に接続された直角部ではなく、曲面を有する湾曲部として形成されている。そのため、屈曲部４２８ｄが直角部として形成された場合と比較して、洗浄水が屈曲部４２８ｄを通過する際に生ずる圧損を抑えることができる。これにより、第２の流路４２８を通過した洗浄水の吐水（ワイド吐水）をより安定化させることができる。
【００５５】
屈曲部４２８ｄの下流側は、旋回室４２３と接続されている。そのため、直進部４２８ｃおよび屈曲部４２８ｄを通過し旋回室４２３へ流入する洗浄水の進行方向は、ノズル４１０の進出方向から変更される。そのため、洗浄水は、屈曲部４２８ｄを通過する際に、前方向の直進成分を減少される。そして、洗浄水は、図１２に表したように、左右方向よりも後方向へ向かって旋回室４２３に流入する。
【００５６】
洗浄水が旋回室４２３へ流入する方向（入水方向）は、図９に表した入水方向に限定されるわけではない。旋回室４２３への入水方向は、後方向の成分を有する方向、すなわち後方向の成分がゼロよりも大きい方向である。  
例えば図１３に表した矢印Ａ１１（右側方）や、矢印Ａ２７（左側方）は、後方向の成分がゼロの方向である。これに対して、例えば、矢印Ａ１３、Ａ１５、Ａ１７、Ａ１９、Ａ２１、Ａ２３、Ａ２５は、いずれも後方向の成分がゼロよりも大きい方向である。つまり、矢印Ａ１３、Ａ１５、Ａ１７、Ａ１９、Ａ２１、Ａ２３、Ａ２５は、右側方（矢印Ａ１１の方向）および左側方（矢印Ａ２７の方向）よりも後方向である。言い換えれば、旋回室４２３への入水方向は、右側方（矢印Ａ１１の方向）から反時計回りにみて左側方（矢印Ａ２７の方向）までの間の方向である。本発明においては、旋回室４２３への入水方向を、これら矢印Ａ１３、Ａ１５、Ａ１７、Ａ１９、Ａ２１、Ａ２３、Ａ２５などの方向とすることができる。
【００５７】
なお、図１０は、旋回室４２３において向かって反時計回りの旋回流が形成されるように洗浄水が流入する場合を例示したが、本発明はこれに限定されるものではない。これとは逆に、旋回室４２３において向かって時計回りの旋回流が形成されるように洗浄水が流入するものであってもよい。その場合にも、洗浄水の流入する方向は、左側方（矢印Ａ１１と反対の方向）から、時計回りにみて右側方（矢印Ａ２７と反対の方向）までの間の方向となる。  
また、図１０に表した入水方向は、旋回室４２３の大径部内周壁４２３ｅの接線方向であるが、旋回室４２３への入水方向は、旋回室４２３の大径部内周壁４２３ｅの接線方向に限定されるわけではない。
【００５８】
図９に表したように、第２の流路４２８は、ノズル本体４２０の吐水孔４２６が形成された位置よりも前方側において旋回室４２３に接続されている。屈曲部４２８ｄの内側側壁４２８ｅは、旋回室４２３の大径部内周壁４２３ｅに対して屈曲部４２８ｄの外側側壁４２８ｆよりも小さい角度で接続されている。本実施形態では、第２の流路４２８は、旋回室４２３の大径部内周壁４２３ｅの接線方向に接続されている。つまり、第２の流路４２８の内側側壁４２８ｅは、旋回室４２３の大径部内周壁４２３ｅの接線方向に接続されている。
【００５９】
そのため、第２の流路４２８を通過して旋回室４２３へ流入した洗浄水は、図９に表した矢印Ａ２のように、大径部内周壁４２３ｅに沿って旋回する。あるいは、第２の流路４２８が旋回室４２３の大径部内周壁４２３ｅの接線方向に接続されていなくとも、最短距離Ｄ２は最短距離Ｄ１よりも長いため、第２の流路４２８を通過して旋回室４２３へ流入した洗浄水は、第１の流路４２７を通過して旋回室４２３へ流入した洗浄水よりも大きい旋回成分（あるいは旋回力）を有した状態で旋回する。
【００６０】
一方、第１の流路４２７を通過して旋回室４２３へ流入した洗浄水は、図９に表した矢印Ａ１のように、旋回室４２３内を旋回する。このとき、第１の流路４２７は、旋回室４２３の大径部内周壁４２３ｅの接線方向に接続されているわけではない。そのため、第１の流路４２７を通過して旋回室４２３へ流入した洗浄水は、大径部内周壁４２３ｅに沿っては旋回しない。また、最短距離Ｄ１は最短距離Ｄ２よりも短い。そのため、第１の流路４２７を通過して旋回室４２３へ流入した洗浄水は、第２の流路４２８を通過して旋回室４２３へ流入した洗浄水よりも小さい旋回成分を有した状態で旋回する。そして、旋回室４２３において旋回した洗浄水は、第２の流路４２８を通過して旋回室４２３へ流入した洗浄水よりも旋回成分を低減された状態で連通路４２５を通過し、ノズル本体４２０の吐水孔４２６から噴出する。
【００６１】
図８および図９に表したノズル４１０によれば、洗浄水が旋回室４２３へ流入する方向は、右側方および左側方よりも後方向である。つまり、洗浄水は、右側方および左側方よりも後方向へ向かって旋回室４２３に流入する。また、洗浄水は、屈曲部４２８ｄを通過する際に、前方向の直進成分を減少される。そのため、旋回成分を付与されずにノズル本体４２０の吐水孔４２６から前方向へ噴出しようとする洗浄水に対して抵抗を与えることができる。これにより、スロート流路４３１の中心軸４３１ｃからみて前方の流路内面４３１ａを流れる洗浄水は、後方の流路内面４３１ｂを流れる洗浄水よりも大きい抵抗を受ける。
【００６２】
これによれば、ノズル４１０の吐水孔４１１から噴出した洗浄水５００が狙いの範囲から外れて着水することを抑制することができる。また、ノズル４１０の吐水孔４１１から噴出した洗浄水５００が、身体局部に着水せず、股の間から抜けて周囲に飛び散ったり、使用者の太ももに吐水されることを抑えることができる。
ワイド吐水は使用者の前側に向かって慣性が働くため、使用者前側に安定した洗浄水が噴射され、スポット吐水はノズル根元側から先端側に向かって流入することによって使用者後側に向かって慣性が働くので、角度を変えて飛び散りを抑えることが出来る。
【符号の説明】
【００６３】
１０ 流路、  １００ 衛生洗浄装置、  ２００ 便座、  ３００ 便蓋、  ４００ ケーシング、  ４０４ 着座検知センサ、  ４１０ ノズル、  ４１１ａ 第２の吐水孔、  ４１１ｂ 第１の吐水孔、  ４２０ ノズル本体、  ４２３ａ 第１の旋回室、  ４２３ｂ 第２の旋回室、 ４２３ｅ 大径部内周壁、  ４２３ｆ 傾斜内周壁、  ４２４  突設部、  ４２５ａ 第１の連通路、  ４２５ｂ 第２の連通路、 ４２６ａ 第２の吐水孔、  ４２６ｂ 第１の吐水孔、 ４２７ ワイド吐水用流路、  ４２８スポット吐水用流路、  ４３０ａ 第１のスロート、  ４３０ｂ 第２のスロート、 ４３１ａ 第１のスロート流路、  ４３１ｂ 第２のスロート流路、 ４３２ テーパ部、  ４３３ａ 第２の吐水孔、  ４３３ｂ 第２の吐水孔、  ４４０ 電磁弁、  ４５０ 熱交換器、  ４７０ 圧力変調装置、    ４７５ 下流側、  ４８０ 流量調整弁、  ５００ 洗浄水、  ６００ ノズル角度、  ２０１ 使用者前側のワイド吐水洗浄水、  ２００  使用者後側のワイド吐水洗浄水、  ２０３  使用者前側のスポット吐水洗浄水、  ２０２  使用者後側のスポット吐水洗浄水、  ８００ 便器、  ８０１ ボウル
【図１】
2012207367.tif 000003
【図２】
2012207367.tif 000004
【図３】
2012207367.tif 000005
【図４】
2012207367.tif 000006
【図５】
2012207367.tif 000007
【図６】
2012207367.tif 000008
【図７】
2012207367.tif 000009
【図８】
2012207367.tif 000010
【図９】
2012207367.tif 000011
【図１０】
2012207367.tif 000012